(57)【要約】【課題】ＬＥＤランプから発散される熱を容易に外部に排出されるようにした熱発散構造を有するＬＥＤ街灯装置を提供する。【解決手段】ＬＥＤ街灯装置は、本体フレームと、光発散部と、透過板とを備える。本体フレームは、平面部と、該平面部のエッジから所定傾斜角度で延長され形成される傾斜部を備え、前記平面部及び傾斜部の内部表面が中空部を形成する。光発散部は、前記平面部及び傾斜部の外部表面に設置され、複数のＬＥＤランプを含んで構成される。透過板は、前記光発散部が備えられた本体フレームの外部表面を覆う。前記平面部の外部表面の中央部には、前記中空部への空気流入のための複数の長孔が平面部の中心点を中心に円形に形成される。【選択図】図３
2013528906.tif 000002
【特許請求の範囲】
【請求項１】
平面部と、該平面部のエッジから所定傾斜角度で延長され形成される傾斜部を備え、前記平面部及び傾斜部の内部表面が中空部を形成する本体フレームと；前記平面部及び傾斜部の外部表面に設置され、複数のＬＥＤランプを含んで構成される光発散部と；前記光発散部が備えられた本体フレームの外部表面を覆う透過板とを備えてなるＬＥＤ街灯装置であって、
前記平面部の外部表面の中央部には、前記中空部への空気流入のための複数の長孔が平面部の中心点を中心に円形に形成されることを特徴とするＬＥＤ街灯装置。
【請求項２】
前記透過板の中央部には、前記長孔と同一形状の連結孔が形成され、
前記透過板と前記本体フレームが結合する時、前記長孔の直上部に前記連結孔が連接して位置するようにしたことを特徴とする請求項１に記載のＬＥＤ街灯装置。
【請求項３】
前記本体フレームの平面部の外部表面の中央部は、所定深さに陥没された中央陥没部と、該陥没部を環状に囲む一方、前記陥没部に対して突出形成され、前記円弧状の長孔が形成される環状突出部と、を備え、
前記透過板の中央部は、前記陥没部上に位置する中央開口部と、該開口部を環状に囲み、前記環状突出部上に固着される一方、前記連結孔が形成される環状固着部と、からなることを特徴とする請求項２に記載のＬＥＤ街灯装置。
【請求項４】
前記透過板の連結孔から離隔し、前記連結孔を部分的に覆う遮蔽板が前記中央開口部に取り付けられることを特徴とする請求項３に記載のＬＥＤ街灯装置。
【請求項５】
前記遮蔽板は、前記透過板の中央開口部に取り付けるために上方に垂直延長され、上端部に外側方向に突出された隆起部が備えられる嵌めこみ用の垂直延長部と、該垂直延長部の下端部から長さ方向に延長され、前記連結孔の上部に位置する水平延長部と、前記垂直延長部及び水平延長部の接合部の厚さが拡大されて前記水平延長部を前記連結孔から離隔して位置させる厚さ拡張部と、を備えてなり、
前記隆起部は前記環状固着部の裏面に嵌められ、前記厚さ拡張部は前記環状固着部の前方に位置することを特徴とする請求項４に記載のＬＥＤ街灯装置。
【請求項６】
前記平面部は、多角形状の平面形状を持つことを特徴とする請求項１に記載のＬＥＤ街灯装置。
【請求項７】
前記傾斜部は、前記多角形の平面形状のエッジ面から延長されるにつれ台形状の多面に形成されることを特徴とする請求項６に記載のＬＥＤ街灯装置。
【請求項８】
平面部と、該平面部のエッジから所定傾斜角度で延長され形成される傾斜部を備え、前記平面部及び傾斜部の外部表面にＬＥＤランプが備えられ、内部表面が中空部を形成する本体フレームと；前記本体フレームの外部表面を覆う透過板と；前記透過板の中央開口を覆う遮蔽板とを備えてなるＬＥＤ街灯装置であって、
前記本体フレーム及び透過板を貫通して外部と前記中空部を連通する垂直空気流入路と、前記透過板の平面透過部及び遮蔽板の表面によって形成され、前記平面透過部に沿って水平に延長され前記垂直空気流入路と連通される水平空気流入路と、が備えられることを特徴とするＬＥＤ街灯装置。
【請求項９】
透過板の平面透過部が表面から隆起して隆起部を形成するとともに、前記水平空気流入路を囲むようになっていることを特徴とする請求項８に記載のＬＥＤ街灯装置。
【発明の詳細な説明】
【技術分野】
【０００１】
本発明は、ＬＥＤ街灯装置に関し、さらに詳しくは、複数のＬＥＤ光源が外部表面に水平及び傾斜設置されることによって、直下照度及び周辺照度が均一になるようにしたＬＥＤ街灯装置において、ＬＥＤランプから発散される熱を容易に外部に排出されるようにした熱発散構造を有するＬＥＤ街灯装置に関する。
【背景技術】
【０００２】
一般に、街灯装置は道路交通の安全と保安のために道路に沿って設置される照明施設である。このような前記街灯装置は高速道路、市街地の主要道路、商業地区道路及び住宅地区道路などに設置され、設置される場所に応じてそれに適合した形態で提供される。そして、現在、街灯装置の設置基準によれば、前記街灯装置が地上から高さ１０ｍの地点に設置される場合、前記街灯装置が設置された地面上の地点から左右側に１２ｍ離れた地面の地点で発生される側面照度が２０ルクス（Ｌｕｘ）まで発光されなければならない。
【０００３】
一方、従来の街灯装置はフィラメントの抵抗を利用して発光するランプが主に使われているが、これは寿命が短く電力消耗が多い問題点があって、最近は前記フィラメント方式のランプに比べ寿命が長くエネルギー効率が高いＬＥＤ（ＬＥＤ：Ｌｉｇｈｔ  Ｅｍｉｔｔｉｎｇ  Ｄｉｏｄｅ）ランプを光源とするＬＥＤ街灯装置が開発されて適用されている。
【０００４】
一方、上記した一般的なＬＥＤ街灯装置１００は、図１に示したように、光源であるＬＥＤランプ１１０及びＬＥＤランプ１１０からの光を直下部又は周辺部に反射させるための反射板１２０が下部に取り付けられる本体フレーム１３０と；該本体フレーム１００に取り付けられたＬＥＤランプ１１０及び反射板１２０を覆う透明ガラス又は透明プラスチック材質で作製される透過板１４０を備えて構成される。また、前記本体フレーム１３０の上部には棒状又は管状の固定部１５０が備えられる。したがって、このようなＬＥＤ街灯装置１００は、前記固定部１５０を街灯柱２００の連結ロッド２１０にボルト、ナット、連結ブラケットなどからなることができる通常の締結部材２２０を用いて、取り付けることができる。
【０００５】
また、前記ＬＥＤ街灯装置１００の固定部１５０と締結される街灯柱２００の連結ロッド２１０は所定直径の棒で形成されるが、例えば街灯装置１００を保護するための日除け部材２３０が連結ロッドと一体に備えられる場合は、図２に示したように、連結ロッド２１０の先端部の直径が拡大された形態を有する場合もある。この場合、前記ＬＥＤ街灯装置１００の固定部１５０も連結ロッド２１０の拡大された直径に応じてその直径が設計される。
【０００６】
図２において、符号２１０ａは連結ロッド２１０の拡大直径部を示し、符号１５０ａは固定部１５０の拡大直径部を示す。また、図２においては前記固定部の拡大直径部１５０ａが、例えば、ねじ結合によって前記連結ロッドの拡大直径部２１０ａに締結された状態を点線で示している。
【０００７】
ところが、前記ＬＥＤ街灯装置１００は、複数のＬＥＤランプを光源とすることによって、ＬＥＤランプ駆動によって高熱が発生し、これにより素子損傷が発生しているが、従来の本体フレーム１００においては、高熱発生に対する効果的な対応策が講じられていないのが実情である。
【発明の概要】
【発明が解決しようとする課題】
【０００８】
したがって、本発明は、上記した事情を鑑みてなされたものであって、ＬＥＤランプから発散される熱を容易に外部に排出されるようにした熱発散構造を有するＬＥＤ街灯装置を提供することを目的とする。より具体的には、街灯装置の側面方向に吹く風が容易に捕集され、街灯装置の内部中空部へ流入されるようにした熱発散構造を有するＬＥＤ街灯装置を提供することを目的とする。
【０００９】
本発明が達成しようとする技術的課題は、上述した技術的課題に制限されず、言及されていない他の技術的課題は以下の記載から本発明が属する技術分野で通常の知識を有する者に明確に理解されることができる。
【課題を解決するための手段】
【００１０】
上記した目的を達成するために、本発明は、平面部と、該平面部のエッジから所定傾斜角度で延長され形成される傾斜部と、を備え、前記平面部及び傾斜部の内部表面が中空部を形成する本体フレームと；前記平面部及び傾斜部の外部表面に設置され、複数のＬＥＤランプを含んで構成される光発散部及び；前記光発散部が備えられた本体フレームの外部表面を覆う透過板を備えてなるＬＥＤ街灯装置であって、前記平面部の外部表面の中央部には、前記中空部への空気流入のための複数の長孔が平面部の中心点を中心に円形に形成されることを特徴とするＬＥＤ街灯装置を提供する。
【発明の効果】
【００１１】
上記した本発明の構成によれば、前記円弧状の長孔及び連結孔からなる空気流入路を介して、外部から前記中空部へ空気が流入及び流出されることによって、前記ＬＥＤランプの加熱によって熱が発散される街灯装置の内部中空部の熱を容易に外部に放出できるようになる。
【図面の簡単な説明】
【００１２】
【図１】一般的なＬＥＤ街灯装置が街灯柱に設置された状態を概略的に示す図である。
【図２】一般的なＬＥＤ街灯装置が街灯柱に設置された状態を概略的に示す図である。
【図３】本発明によるＬＥＤ街灯装置の側断面図である。
【図４】本発明によるＬＥＤ街灯装置の概略的な平面図である。
【図５】本発明によるＬＥＤ街灯装置の斜視図である。
【図６】本発明のよるＬＥＤ街灯装置の側面図である。
【発明を実施するための形態】
【００１３】
以下、添付図面を参照して本発明の実施形態について本発明の属する技術分野で通常の知識を有する者が容易に実施できるように詳細に説明する。しかし、本発明は様々な互いに異なる形態に具現されることができ、ここで説明する実施形態に限定されない。
図３は、本発明による街灯装置の側断面図である。
【００１４】
図に示すように、本発明によるＬＥＤ街灯装置は、水平の平坦面に形成された平面部１１と、該平面部１１から所定角度を有して延長される傾斜部１２と、該傾斜部の端部から水平に延長されるエッジ部１３（結合部）と、を備える本体フレーム１０と；前記平面部１１及び傾斜部１２に取り付けられる複数のＬＥＤランプ２１を備えた光発散部２０と；前記光発散部２０が取り付けられた本体フレームの外部表面を覆い、前記平面部１１上に位置する平面透過部３１、前記傾斜部１１上に位置する傾斜透過部３２及び前記エッジ部１３上に位置するエッジ部３３を備える透過板３０とで構成される。
【００１５】
ここで、前記光発散部２０はＰＣＢ基板であることがあるベース２２上に前記ＬＥＤランプ２１が複数設置された部品であり、ねじなどの締結手段及び前記平面部１１及び傾斜部１２上に形成された結合孔１１ｆ、１２ｆを介して前記本体フレームの平面部及び傾斜部に取り付けられる。
【００１６】
ここで、前記本体フレーム１０の平面部１１及び傾斜部１２の外部表面には前記光発散部２０が取り付けられ、その内部表面は前記ＬＥＤランプから発生される熱発散のための中空部Ｓに形成される。
【００１７】
一方、前記本体フレーム１０の平面部の外部表面の中央部は、所定深さに陥没された中央陥没部１１ａと、該陥没部１１ａを環状に囲む一方、前記陥没部１１ａに対して突出形成され、円弧状の長孔１９が形成される環状突出部１１ｂが備えられる。
【００１８】
また、前記本体フレーム１０の内部表面の中央部には、前記街灯柱の連結対２１０（図示せず）との結合のための固定部１１ｃが形成される。該固定部１１ｃは平面部１１の中央部から垂直に延長された円筒状のパイプに形成される。一方、前記固定部１１ｃの自由端部の内側又は外側にはねじ山部が備えられ、該ねじ山部を介して連結部材１６が設置される。
【００１９】
ここで、前記連結部材１６は前記円筒状固定部１１ｃの端部に取り付けられることによって、その直径が円筒状固定部と同一に形成される第１直径部１６ａと、前記街灯柱に取り付けられ、その直径が前記第１直径部１６ａに比べて拡大された第２直径部１６ｂを備える。
【００２０】
図３においては前記固定部１１ｃの内側及び前記第１直径部１６ａの外側にねじ山部が備えられ、これを介して前記連結部材１６が固定部１１ｃに嵌合された状態を示している。また、前記第２直径部１６ｂが第１直径部１６ａより直径が大きい状態を示しているが、前記第２直径部１６ｂの直径は前記街灯柱の端部（連結部）直径に応じてその直径が決定され得る。例えば、前記街灯柱の端部の直径が前記第１直径部１６ａと同じ直径の場合、前記第２直径部１６ｂが省略された形態で前記連結部材１６が提供され得る。すなわち、連結部材１６ａは第１直径部１６ａの直径を有する円柱又は六面体形状に作製されることができる。
【００２１】
ここで、前記透過板３０の平面透過部３１の中央部は、前記陥没部１１ａ上に位置する中央開口部３１ａと、該開口部３１ａを環状に囲み、前記環状突出部１１ｂ上に固着される一方、前記円弧状の長孔と同一形状の連結孔３９が形成される環状固着部３１ｂと、からなる。
【００２２】
一方、図４は、上部で前記連結部材１６が除去された本体フレームの中空部Ｓを眺めた平面図で、前記平面部１１の内部表面の中央部に前記連結部材１６を固定するための固定部１１ｃが形成され、中空部Ｓへの空気流入のための複数の円弧状の長孔が十字で示した中心点を中心に、前記固定部１１ｃの外側で円形に形成される状態を示す。前記円弧状の長孔１９は同じ大きさを有するように示しているが、その大きさを異なるように形成することによって、中空部の内部と外部との空気の流れをより円滑にすることもできる。また、前記円弧状の長孔１９の曲率は前記固定部１１ｃの曲率と同一に形成することが好ましい。
【００２３】
また、前記平面部１１はその平面形状が１２面に形成される。すなわち、平面部１１のエッジに１２個の辺が形成される。また、前記傾斜部１２は前記平面部１１の１２面のエッジから所定角度をなして上部に延長されるにつれ、その表面は１２面に形成される。すなわち、傾斜部１２は、平面部１１側の端部から前記エッジ部１３側に延長されるに伴い、その内径が拡大され、各面は側面から見て台形形態を持つようになる。
【００２４】
また、前記エッジ部１３の表面には複数の結合孔１３ｆが形成されることによって、この結合孔を介して、透過板３０を本体フレーム１０に固定できるようになる。
【００２５】
一方、前記本体フレーム１０と透過板の結合は、前記結合孔１３ｆと連通される挿入孔４０ｆが形成され、透過板３０のエッジ部３３上に固着され、エッジ部３３を本体フレームのエッジ部１３側に押し付ける加圧部４１が備えられる固定ブラケット４０によって行われる。一方、このような固定ブラケット４０は前記エッジ部１３、３３の形状に沿って、エッジ部１３、３３を覆うように環状に形成される。したがって、前記エッジ部１３、３３を一致させた状態で、前記挿入孔４０ｆ及び結合孔１３ｆをねじ締結することによって、本体フレーム１０と透過板３０の結合が行われる。
【００２６】
結合の際、前記透過板３０の中央開口部３１ａは本体フレームの前記陥没部１１ａ上に位置し、環状固着部３１ｂは前記環状突出部１１ｂ上に固着される。また、前記透過板３０の環状固着部３１ｂの端部３１ｂ’は前記陥没部１１ａ側に水平に延長される。該環状固着部３１ｂの端部３１ｂ’は以下で説明される遮蔽板５０の固定部になる。また、この時、前記透過板３０の円弧状連結孔３９は、図３に明確に示すように、前記円弧状の長孔とその開口位置が一致するようになる。
【００２７】
一方、上記した本体フレーム１０と透過板の結合時に、光発散部２０が設置される、前記本体フレーム１０の平面部及び傾斜部の外部表面と、前記透過板の平面透過部及び傾斜透過部の内部表面に囲まれる空間部Ｓａは、湿気及びその他汚染物質の流入を防止するために、外部から密封される。
【００２８】
そのために、前記結合の前に、エッジ部３３の端部及び前記環状突出部１１ｂの外部表面上には、例えばゴム材質のブッシング４４ｂ、４５ｂが嵌められる。図３においては⊂形の断面を有するブッシング４４ｂがエッジ部３３の端部に嵌められ、エッジ部１３、３３の間に介在し、○形の断面を有するブッシング４５ｂが前記環状突出部１１ｂと環状固着部３１ｂの接合面に介在する状態が示される。
【００２９】
これにより、前記エッジ部１３、３３を一致させた状態で、前記挿入孔４０ｆ及び結合孔１３ｆを介して固定ブラケット４０をエッジ部１３にねじ締結すると、本体フレーム１０と透過板が結合されるとともに、前記空間部Ｓａが外部から密封される。
【００３０】
一方、本発明によるＬＥＤ街灯装置においては、外観の向上のために前記陥没部１１ａと開口部３１ａ及び環状固着部３１ｂを覆うとともに、前記長孔１９及び連結孔３９からなる垂直空気流入路に空気が容易に流入されるようにした遮蔽板５０をさらに備えて構成される。
【００３１】
このような遮蔽板５０は、前記透過板の中央開口部３１ａに取り付けるために上方に垂直延長され、上端部の外側表面が外側方向に突出して隆起部５１ａを形成する嵌め込み用の垂直延長部５１と、該垂直延長部５１の下端部で長さ方向（図３の左右方向）に延長され、前記連結孔３９から離隔して連結孔３９の上部に位置する水平延長部５２と、前記垂直延長部及び水平延長部の接合部の厚さが拡大されて前記水平延長部を前記連結孔から離隔して位置させる厚さ拡張部５３と、を備えてなる
【００３２】
したがって、前記陥没部１１ａ及び開口部３１ａに前記垂直延長部５１が挿入されることによって、前記隆起部５１ａは前記固着部の端部３１ｂ’の裏面に嵌められ、前記固着部の端部３１ｂ’は前記隆起部５１ａ下の前記垂直延長部５１の側面を押し付けるようになる。また、前記固着部の端部３１ｂ’面に前記厚さ拡張部５３が接して位置するようになる。これにより、水平延長部５２が前記連結孔３９から離隔して連結孔３９の上部に位置するようになる。したがって、環状固着部３１ｂの表面と前記水平延長部５２の対向する表面により水平空気流入路が形成される。
【００３３】
すなわち、本発明による空気流入路Ｒは、環状固着部３１ｂの表面と前記水平延長部５２の対向する表面からなる水平空気流入路と、前記長孔１９及び連結孔３９が連通してなる垂直空気流入路と、からなるようになる。これにより、街灯装置の側面に吹く風が前記水平空気流入路によって捕集され、前記垂直空気流入路に流入することができるようになる。
【００３４】
一方、図３においては、前記水平延長部５２が前記環状固着部３１ｂと平行するように水平方向に延長された状態を示しているが、好ましくは前記固着部３１ｂに対して、前記水平延長部５２の自由端部が離隔し傾斜して形成することによって、前記連結孔３９及び長孔１９への空気流入量を増大させるように形成されることもできる。
【００３５】
また、前記透過板３０の平面透過部３１において、前記環状固着部３１ｂの外側部は表面から所定高さに隆起して隆起部３１ｃを形成するようになる。このような隆起部３１ｃは、好ましくは、前記水平延長部５２の高さと同じ高さに形成されることによって、図６に示したように、側面から見て、前記遮蔽板５０及び空気流入路Ｒが外部に露出されないようにする。
【００３６】
一方、図５は、本発明によるＬＥＤ街灯装置の斜視図で、前記本体フレーム１０と、該本体フレーム１０の平面部１１に設置される円形のベース２２ａ及びＬＥＤランプ２１からなる光発散部２０と、前記傾斜部１２に設置される四角形のベース２２ｂ及びＬＥＤランプ２１からなる光発散部２０と、前記光発散部２０が設置された本体フレーム１０を覆う透過板３０と、を備えてなるＬＥＤ街灯装置が示される。また、図面においては、前記環状の固定ブラケット４０によって前記本体フレーム１０に透過板３０が結合された状態が示される。また、前記本体フレームの平面部１１が多角形状に形成された状態、及び、傾斜部１２が台形状の１２面に形成される状態が示される。
【００３７】
また、前記遮蔽板５０が前記透過板の中央開口部に設置されることによって、前記水平延長部５２と前記環状固着部３１ｂの表面によって形成される水平空気流入路Ｒが環状に形成された状態が明確に示される。
【００３８】
図６は、本発明によるＬＥＤ街灯装置の側面図で、側面から見て、前記隆起部３１ｃによって遮蔽されることによって、前記遮蔽板５０及び空気流入路Ｒが外部に露出されていない状態が示される。また、前記街灯柱との連結のための連結部材１６が環状の固定ブラケット４０上に突出された状態が示される。 
【図１】
2013528906.tif 000003
【図２】
2013528906.tif 000004
【図３】
2013528906.tif 000005
【図４】
2013528906.tif 000006
【図５】
2013528906.tif 000007
【図６】
2013528906.tif 000008
【国際調査報告】
2013528906.tif 000009
2013528906.tif 000010
2013528906.tif 000011
2013528906.tif 000012